(57)【特許請求の範囲】
【請求項１】
機械室とその上部に仕切板を介して平面形状がほぼ矩形の熱交換室とをそれぞれ設けると共に、この熱交換室を囲む外周壁の４側面に吸込口を形成するユニットケースと、
上記吸込口にそれぞれ対向させて上記熱交換室内に収容される熱交換器と、
を備えた空気調和機の室外ユニットにおいて、
上記室外熱交換器は、その相対向する一対の対向辺部を、上記吸込口が穿設されている外周壁に対して内方へ所定角度傾斜させてほぼ平行に並設して、平行四辺形を形成するように配設されることを特徴とする空気調和機の室外ユニット。
【請求項２】
前記熱交換器は、鈍角Ｌ字状にそれぞれ形成した一対の熱交換器からなり、そのＬ字状各辺部を熱交換室の吸込口にそれぞれ対向するように配設していることを特徴とする請求項１記載の空気調和機の室外ユニット。
【発明の詳細な説明】
【０００１】
【発明の属する技術分野】
本発明は、空気調和機の室外に設置される室外ユニットに係り、特に室外設置箇所の自由度の拡大を図った空気調和機の室外ユニットに関する。
【０００２】
【従来の技術】
従来、この種の空気調和機の室外ユニットの一例としては例えば実公昭６２−４１１４４号公報に記載されたものがある。この空気調和機の室外ユニットは熱交換器ユニット部分と機械室部分とをケーシング部分により上下に形成し、機械室部分内に圧縮機やアキュムレータ等を収容する一方、熱交換器ユニット部分内にＶ字状熱交換要素と送風機を収容している。
【０００３】
そして、熱交換器ユニット部分のＶ字状の熱交換要素を囲む外壁に直角三角形の通風口を穿設し、この通風口から外気を導入してＶ字状熱交換要素と熱交換させてから上面の空気吹出口より外部へ再び放出させるようになっている。
【０００４】
【発明が解決しようとする課題】
しかしながら、このような従来の空気調和機の室外ユニットでは、その例えば複数台どうしを横方向に近接させて並設して据付けた場合には、隣り合う室外ユニットの吸込口どうしが近接対向するので、外気を三角形状の通風口から熱交換器ユニット部分内に吸い込む導入流量が減少してしまう。このために、十分な流量の外気によりＶ字状熱交換要素と十分に熱交換できないので、熱交換能力が低下し、ひいては空調能力が低下する。また、この室外ユニットを、その熱交換ユニット部分の吸込口が例えば建屋外壁等の壁面に近接するように設置する場合にも、その壁面に近接対向する吸込口から熱交換ユニット内に導入される外気の導入流量が減少するので、熱交換要素による熱交換能力が低下する。すなわち、室外ユニットの据付箇所ないし方法によっては熱交換能力ひいては空調能力が低下するという課題がある。
【０００５】
本発明はこのような事情を考慮してなされたもので、その目的は、据付け箇所ないし方法のいかんに拘らず、熱交換能力を低下させずに高能力を維持したままで据付けることができ、その据付けの自由度を増大させて据付スペースを有効に活用できる空気調和機の室外ユニットを提供することにある。
【０００６】
【課題を解決するための手段】
請求項１に係る本発明は、機械室とその上部に仕切板を介して平面形状がほぼ矩形の熱交換室とをそれぞれ設けると共に、この熱交換室を囲む外周壁の４側面に吸込口を形成するユニットケースと、上記吸込口にそれぞれ対向させて上記熱交換室内に収容される熱交換器と、を備えた空気調和機の室外ユニットにおいて、上記室外熱交換器は、その相対向する一対の対向辺部を、上記吸込口が穿設されている外周壁に対して内方へ所定角度傾斜させてほぼ平行に並設して、平行四辺形を形成するように配設されることを特徴とする空気調和機の室外ユニットである。
【０００７】
この発明によれば、熱交換室内に収容される熱交換器の相対向する一対の各対向辺部を、吸込口が穿設されている熱交換室の外周壁に対して内方へ所定角度傾斜させているので、仮に、これら傾斜した室外熱交換器の一対の対向辺部が対向する吸込口を穿設している外周壁の一面が建屋外壁等の壁面に近接対向するように室外ユニットを配置した場合でも、各熱交換器の各対向辺部は建屋外壁面に近接対向する各熱交換室の外周壁とその隣りの外周壁の各内面とにそれぞれ対向するうえに、熱交換室の外周壁と熱交換器の各対向辺部との間隙の吸込スペースは、その熱交換器の対向辺部が内方へ傾斜している分だけ拡大しているので、各熱交換器の外気吸込面積の減少を抑制ないし防止できる。このために、熱交換器の熱交換能力の低下を抑制ないし防止できる。
【０００８】
また、熱交換室の吸込口を穿設している外周壁の一面どうしが近接対向するように複数の室外ユニットどうしを並設した場合でも、両ユニットの熱交換器の各対向辺部は、これら両ユニットの相互に近接対向している外周壁と、その隣りの外周壁の両内面に対向するうえに、これら両ユニットの熱交換室の各外周壁と、各室外熱交換器の対向辺部どうしとの間隙の吸込スペースは、各熱交換器の対向辺部が内方へ傾斜している分だけそれぞれ拡大しているので、各熱交換器の外気吸込面積の減少を抑制ないし防止できる。このために、熱交換器の熱交換能力の低下を抑制ないし防止できる。
【０００９】
したがって、吸込口を穿設している熱交換室の外周壁の一面を建屋外壁面等に近接対向させた状態で室外ユニットを据付けなければならないような場合でも、この室外ユニットを高い熱交換能力を維持したままで据付けることができる。すなわち、このように限定されたスペースにも室外ユニットの熱交換能力を減少させることなく、高能力を維持したままで据付けることができるので、室外ユニットの据付けの自由度を増大し、据付スペースを有効に活用できる。
【００１１】
また、この発明によれば、熱交換器の傾斜させた一対の対向辺部どうしをほぼ平行に並設したので、これら対向辺部の傾斜面に対して熱交換室内における各吸い込みスペースをほぼ均等に確保できる。このために、複数台の室外ユニットどうしを左右に近接させて並設した場合でも、外気の十分な吸込量を確保することができるので、高い熱交換能力ひいては空調能力を維持することができる。
【００１２】
請求項２に係る発明は、前記熱交換器は、鈍角Ｌ字状にそれぞれ形成した一対の熱交換器からなり、そのＬ字状各辺部を熱交換室の吸込口にそれぞれ対向するように配設していることを特徴とする請求項１記載の空気調和機の室外ユニットである。
【００１３】
この発明によれば、鈍角Ｌ字状に形成した一対の熱交換器により２傾斜面を形成することができるので、例えば矩形状の熱交換器よりも外表面積すなわち、熱交換面積を増大し、空調能力も増大できる。
【００１４】
また、鈍角Ｌ字状の同形の熱交換器の一対により熱交換器を構成するので、これら熱交換器を仕切板上に起立させて固定できる等、組立が簡単にでき、製造性が良好である。
【００１５】
【発明の実施の形態】
以下、本発明の実施形態を図１〜図４に基づいて説明する。これらの図中、同一または相当部分には同一符号を付している。
【００１６】
図２は本発明の一実施形態に係る空気調和機の室外ユニット１の外観斜視図、図３はその一部を分解すると共に、省略して示す分解斜視図である。これらの図に示すように、室外ユニット１は、その上部に平面形状が矩形の熱交換室２を形成する一方、その下部に機械室３を形成し、これら熱交換室２と機械室３の外周を複数枚の側板パネル４，４，…、により囲んで外周壁を形成すると共に、その上面開口である熱交換室２の図２中上面を有蓋偏平角筒状の天板５により閉じることによりユニットケースを構成している。
【００１７】
天板５の蓋部５ａほぼ中央部（熱交換室２の中央部）には例えば円形の空気吹出口６を形成し、この空気吹出口６に円筒状のファンケーシング７を同心状に一体または一体的に突設し、このファンケーシング７内に室外ファン８を同心状に配設している。
【００１８】
図３に示すように機械室３は、比較的厚い矩形平板鋼板等よりなる底板９の左右両端部にＬ字状の左右一対の据付脚１０ａ，１０ｂを一体または一体的に設け、底板９の各偶角部上に、例えばＬ形鋼等の複数の支柱１１，１１，１１…を立設し、これら支柱１１，１１…上に、有底偏平角筒状の仕切板１２を載置固定し、この仕切板７により、その上方の熱交換室２とその下方の機械室３とにそれぞれ仕切る一方、この仕切板１２をドレンを受けて集水し排水するドレン皿に兼用している。
【００１９】
機械室３内の底板９上には、圧縮機１３やアキュムレータ１４等、これらを接続する配管類１５、これらに接続されて図示しない室内ユニットに接続される一対の配管接続弁１６ａ，１６ｂをそれぞれ配設している。
【００２０】
そして、図１にも示すように矩形の仕切板１２上には、ほぼ鈍角Ｌ字状にそれぞれ形成された左右一対の熱交換器１７，１８を立設している。各熱交換器１７，１８は、所定のピッチで配設された縦長矩形薄板よりなる多数のフィン１７ａ，１８ａと、これらのフィン１７ａ，１８ａの上端から下端までに上下方向に複数段に亘って並設されてこれらフィン１７ａ，１８ａを板厚方向に貫通する図示しない複数の熱交換管と、これら熱交換管の外端部で上下方向に隣り合うものどうしを連結して１本の蛇管状の冷媒流路をそれぞれ形成する複数のＵベンド１７ｂ，１８ｂとを有する。これら熱交換器１７，１８の冷媒流路どうしは直列または並列に接続される。
【００２１】
そして、これら熱交換器１７，１８は、図１中上部と下部とにて水平方向に延在する水平辺部１７ｃ，１８ｃと、これら水平部１７ｃ，１８ｃの各一端から鈍角でほぼＬ字状に折曲されて図１中左右方向で相互に対向する対向辺部１７ｄ，１８ｄとを有する。
【００２２】
図１に示すようにこれら対向辺部１７ｄ，１８ｄは、鈍角Ｌ字状に折曲されることによりこれらの外方で対向する各側板パネル４に対し所定角度αで内方へ傾斜しており、各側板パネル４には、図２に示すように各対向辺部１７ｄ，１８ｄに対向する上部の対向部にて板厚方向に貫通する複数の吸込口４ａ，４ａ…をそれぞれ穿設している。
【００２３】
また、各熱交換器１７，１８の各水平辺部１７ｃ，１８ｃにそれぞれ対向する各側板パネル４，４…の上部の対向部にも複数の吸込口４ａ，４ａ…を穿設している。これら吸込口４ａ，４ａ…により熱交換室２の内外を連通させている。
【００２４】
さらに、仕切板１２の内底面上の一隅部には、例えば矩形のドレン排水口１２ａを穿設し、仕切板１２の内底面は、このドレン排水口１２ａにドレンを集水させて排水するように傾斜されている。また、この排水口１２ａの下端には、角筒状のドレン排水用ダクト１２ｂを水密に固着しており、この角筒状のドレン排水用ダクト１２ｂの下端を垂直方向下方に垂下させて機械室３の底板９を板厚方向にほぼ垂直に貫通させ、その下方にドレンを排水するようになっている。
【００２５】
そして、図１に示すように一対の熱交換器１７，１８は、その各水平辺部１７ｃ，１８ｃどうしを図１中上下方向で対向させると共にほぼ平行に並設し、各対向辺部１７ｄ，１８ｄどうしを図中左右方向でそれぞれ対向させると共に、ほぼ平行に並設して、ほぼ平行四辺形を形成するように配設されている。したがって、これら一対の熱交換器１７，１８の外表面積、すなわち、熱交換面積を、例えば矩形の熱交換器よりも増大させることができる。
【００２６】
図４は以上のように構成された室外ユニット１を、その一側面の側板パネル４の外面が、例えば建屋外壁等の壁面１９に近接する位置にて配置し据付ける場合の平断面図を示している。
【００２７】
この場合は、室外ユニット１の一面の側板パネル４が壁面１９に近接対向し、この側板パネル４の複数の吸込口４ａ，４ａが壁面１９に近接対向するので、これら吸込口４ａと壁面１９との間隙が狭隘になる。しかし、この壁面１９に対向する室外ユニット１の一方の熱交換器１７の対向辺部１７ｄが壁面１９および側板パネル４に対して内方へ所定角度α傾斜して、その傾斜外面が壁面１９に近接対向する側板パネル４とその隣の側板パネル４（図１では下面の側板パネル４）の両面の吸込口４ａに対向するうえに、壁面１９に近接対向する側板パネル４の内面と熱交換器１７の対向辺部１７ｄとの間隙の吸込スペースが、この対向辺部１７ｄの傾斜により拡大しているので、熱交換器１７の外気吸込面積の減少を抑制することができる。このために、図１中左側面と下面の両側板パネル４の複数の吸込口４ａから外気を熱交換室２内に十分な量で吸い込み、十分に熱交換できるので、熱交換能力の低減を抑制できる。
【００２８】
したがって、図４に示すように室外ユニット１を、その一面の側板パネル４の外面が建屋外壁等の壁面１９に近接するような位置にも、高い熱交換能力を維持したままで据付けることができる。つまり、このようなデッドスペースにも空気調和機の室外ユニット１を有効に据付けることができる。なお、図４中の左右の側板パネル４，４の左右を入れ替えるように室外ユニット１を壁面１９に近接配置する場合も同様の作用効果を奏することができるのは勿論である。
【００２９】
図５はさらにこの室外ユニット１の複数台、例えば２台を左右に近接させて並べて据付ける場合の一部省略平面図である。
【００３０】
この図５に示すように隣り合う２台の室外ユニット１，１を、これらの両熱交換器１８，１７の各傾斜対向辺部１８ｄ，１７ｄが各々の側板パネル４を介して相互に対向するように近接配置すると、それらの側板パネル４，４どうしが近接対向し、これら両側板パネル４，４の吸込口４ａ，４ａどうしが近接対向する。しかし、これら両室外ユニット１，１の両熱交換器１８，１７の各傾斜対向辺部１８ｄ，１７ｄは、その図中左右対向方向に対して一側方（図５では上方と下方）の側板パネル４の吸込口４ａにもそれぞれ対向するうえに、相互に近接対向する両室外ユニット１，１の側板パネル４，４の内面と、両熱交換器１７，１８の各対向辺部１７ｄ，１８ｄとの間隙の吸込スペースが、これら各対向辺部１７ｄ，１８ｄの傾斜により拡大しているので、両室外ユニット１，１の各熱交換室２の吸込面積の減少を抑制することができる。このために吸込口４ａから熱交換室２内へ導入される外気の導入量を十分に確保できる。
【００３１】
したがって、このような複数台の室外ユニット１，１の配置ないし据付けの場合にも、高い熱交換能力を維持したままで据付けることができ、据付け位置ないしスペースの有効利用を図ることができる。なお、図５中、左右に配置された室外ユニット１，１の左右を入れ替えて並設した場合でも、これと同様の作用効果を奏することができるのは勿論である。
【００３２】
【発明の効果】
以上説明したように本発明は、熱交換室内に収容される熱交換器の相対向する一対の各対向辺部を、吸込口が穿設されている熱交換室の外周壁に対して内方へ所定角度傾斜させているので、仮に、これら傾斜した室外熱交換器の一対の対向辺部が対向する吸込口を穿設している外周壁の一面が建屋外壁等の壁面に近接対向するように室外ユニットを配置した場合でも、各熱交換器の各対向辺部は建屋外壁面に近接対向する各熱交換室の外周壁とその隣りの外周壁の各内面とに対向するうえに、熱交換室の外周壁と熱交換器の各対向辺部との間隙の吸込スペースは、その熱交換器の対向辺部が内方へ傾斜している分だけ拡大しているので、各熱交換器の外気吸込面積の減少を抑制ないし防止できる。このために、熱交換器の熱交換能力の低下を抑制ないし防止できる。
【００３３】
また、熱交換室の吸込口を穿設している外周壁の一面どうしが近接対向するように複数の室外ユニットどうしを並設した場合でも、両ユニットの熱交換器の各対向辺部は、これら両ユニットの相互に近接対向している外周壁と、その隣りの外周壁の両内面に対向するうえに、これら両ユニットの熱交換室の各外周壁と、各室外熱交換器の対向辺部どうしとの間隙の吸込スペースは、各熱交換器の対向辺部が内方へ傾斜している分だけそれぞれ拡大しているので、各熱交換器の外気吸込面積の減少を抑制ないし防止できる。このために、熱交換器の熱交換能力の低下を抑制ないし防止できる。
【００３４】
したがって、吸込口を穿設している熱交換室の外周壁の一面を建屋外壁面等に近接対向させた状態で室外ユニットを据付けなければならないような場合でも、この室外ユニットを高い熱交換能力を維持したままで据付けることができる。すなわち、このように限定されたスペースにも室外ユニットの熱交換能力を減少させることなく、高能力を維持したままで据付けることができるので、室外ユニットの据付けの自由度を増大し、据付スペースを有効に活用できる。
【図面の簡単な説明】
【図１】図２で示す本発明の一実施形態に係る空気調和機の室外ユニットの一部を省略した熱交換室の平面図。
【図２】本発明の一実施形態に係る空気調和機の室外ユニットの外観斜視図。
【図３】図２で示す空気調和機の室外ユニットの一部を省略して示す一部分解斜視図。
【図４】図２等で示す室外ユニットを建屋外壁等の壁面に近接させて据付ける場合の一部省略平面図。
【図５】図２等で示す複数の室外ユニットどうしを左右に近接させて据付ける場合の一部省略平面図。
【符号の説明】
１  室外ユニット
２  熱交換室
４  側板パネル
９  底板
１２  仕切板
１３  圧縮機
１４  アキュムレータ
１５  配管類
１６ａ，１６ｂ  一対の接続配管
１７，１８  一対の熱交換器
１７ａ，１８ａ  一対の熱交換器のフィン
１７ｂ，１８ｂ  一対の熱交換器のＵベント
１７ｃ，１８ｃ  一対の熱交換器の水平辺部
１７ｄ，１８ｄ  一対の熱交換器の対向辺部
【図１】
0004109813.tif 000002
【図２】
0004109813.tif 000003
【図３】
0004109813.tif 000004
【図４】
0004109813.tif 000005
【図５】
0004109813.tif 000006